(57)【特許請求の範囲】
【請求項１】
操作穴を有する第１の部材と、引っ掛け手段及び操作受け面とを有する第２の部材と、
前記第１の部材に取付けられる取付け部と前記第２の部材に掛合される弾性掛合片とを一体に有し、且つ前記第２の部材の操作受け面に押し付けられて側方に開き出されると共に前記第２の部材に掛合される弾性掛合片の掛合を解く向きに該弾性掛合片を押動する解除片を有している操作体を前記取り付け部の取り付け面側から該弾性掛合片に沿って構成されている操作空所に移動可能に備えている組付け具とを有し、
前記組付け具が、この組付け具に備えられている操作体を前記第１の部材における操作穴から押動操作可能となるように該第１の部材に取り付けてあると共に、
前記第１の部材または該第１の部材に取り付けられている組付け具が前記第２の部材に接するように、しかも、該第２の部材における操作受け面に対して前記操作体の押し付けを可能とするように、該組付け具の弾性掛合片を前記第２の部材の引っ掛け手段に引っ掛けるようにして、該第２の部材を前記第１の部材に組み付けてあることを特徴とする組付け構造。
【請求項２】
組付け具が、該組付け具を第２の部材に組み付ける際に該第２の部材に接する接触部を有する少なくとも一対の脚片を、該組付け具の第１の部材に対する取付け部から弾性掛合片と同一の向きに突設してあると共に、この対をなす脚片間に第２の部材の操作受け面に接する弾性片が設けられていることを特徴とする請求項１記載の組付け構造。
【発明の詳細な説明】
【０００１】
【発明の属する技術分野】
この発明に係る組付け構造は、部材相互を確実に組付けると共に、組付け具を備えた側の部材に設けられている操作穴よりの押動操作のみによって、部材相互の組付けを容易に解除することのできる組付け構造の提供に関する。
【０００２】
【従来の技術】
部材相互を組付ける組付け構造には、その組付けの目的に対応した夫々の形態の組付け構造が要求されており、例えば、板状部材の組付けにあって、この組付けられる板状部材を、その組付け後に解除可能とする組付け構造の提供が求められることがあった。
【０００３】
かかる要求に対応する組付け構造に用いられる留め具として、例えば、実公平５−６４０８号の実用新案出願公告公報所載の考案に係る留め具が、板状部材の組付け手段として、その組付け後にあって、その組付け状態を解除できる留め具として提案されている。
【０００４】
この実公平５−６４０８号公報所載の考案に係る留め具は、２枚の板状部材を結合する手段として、外方に開き出す脚部を、その頭部から延びる中空管状の形態をなすものとして備え、しかも、この頭部に、この脚部の内径孔に連通する貫通孔を備えた第１の留め具部分と、この第１の留め具部分の頭部の貫通孔、及びその脚部の内径孔に挿入される頭部及び脚部とを備えた第２の留め具部分とを有し、板状部材に設けた貫通孔に対して、第１の留め具部分の脚部を挿通し、この第１の留め具部分の貫通孔から脚部の内径孔内に挿し入れられている第２の留め具部分を更に押し入れることによって、この第２の留め具部分の脚部を拡開し、これによって、第１の留め具部分の脚部を拡開することで、この第１の留め具部分の脚部と頭部との間で、各板状部材の組付けをなすようにしていた。
【０００５】
【発明が解決しようとする課題】
この実公平５−６４０８号公報所載の考案に係る留め具にあっては、重ね合せられた板状部材を、第１の留め具部分の頭部と、第２の留め具部分によって開き出された第１の留め具部分の脚部とによって挾持状態に留めつける構成としてあることから、比較的薄手の板状物などの留めつけに都合の良い反面、厚手の板状物の留めつけには不向きであった。
【０００６】
また、第１の留め具部分の脚部を、重ね合せの状態とされている板状物の貫通孔に挿通し、これを該貫通孔の挿通前方側で撓ませると共に、この撓められた脚部と、該第１の留め具部分の頭部とによって、重ね合せの状態にある板状物の貫通孔の各孔縁を挾持させる構成としてあることから、この貫通孔から前方に向けて突き出されている脚部が、かかる撓み込みによる孔縁の保持を可能とする形態、より具体的には、かかる撓み変形に伴う孔縁の挾持を可能つする突き出し寸法を備えたものとして構成される必要があった。
【０００７】
また、この実公平５−６４０８号公報所載の考案に係る留め具にあっては、この第１の留め具部分の脚部の開き出し、及び、この開き出されている脚部の弾性復帰に用いられる第２の留め具部分の脚部が、その組み付け、及び組み外しの操作に際して、この第１の留め具部分の脚部から、前方に、比較的大きく突き出される構成とされていた。
【０００８】
この発明は、かかる板状部材の取付けにあって、厚手の板状部材の組付けにも適し、しかも、組付けられる板状部材の内部方に、組付け具における係合手段などの撓み変形のための大きな操作空間を設ける必要のない組付け構造の提供を目的としている。
【０００９】
【課題を解決するための手段】
この発明に係る組付け構造は、前記の目的を達成するものとして、請求項１記載に係る組付け構造を、操作穴を有する第１の部材と、引っ掛け手段及び操作受け面とを有する第２の部材と、前記第１の部材に取付けられる取付け部と前記第２の部材に掛合される弾性掛合片とを一体に有し、且つ前記第２の部材の操作受け面に押し付けられて側方に開き出されると共に前記第２の部材に掛合される弾性掛合片の掛合を解く向きに該弾性掛合片を押動する解除片を有している操作体を前記取り付け部の取り付け面側から該弾性掛合片に沿って構成されている操作空所に移動可能に備えている組付け具とを有し、前記組付け具が、この組付け具に備えられている操作体を前記第１の部材における操作穴から押動操作可能となるように該第１の部材に取り付けてあると共に、前記第１の部材または該第１の部材に取り付けられている組付け具が前記第２の部材に接するように、しかも、該第２の部材における操作受け面に対して前記操作体の押し付けを可能とするように、該組付け具の弾性掛合片を前記第２の部材の引っ掛け手段に引っ掛けるようにして、該第２の部材を前記第１の部材に組み付けた構成としてある。
【００１０】
このように構成される組付け構造にあっては、第１の部材に対して、この第１の部材の操作穴から操作体の押動操作を可能とするように組付け具を組付けると共に、第１の部材又は該第１の部材に取り付けた組付け具を、前記第２の部材に当接させた状態で、この第２の部材の引っ掛け手段に対して前記組付け具の弾性掛合片を掛合させることによって、前記第１の部材に対して第２の部材の組付けをなすことができる。
【００１１】
このように組付け具によって組付けられる第１の部材と、第２の部材とは、この組付け具に備えられている操作体が、第２の部材に設けられている操作受け面に向けて移動可能、且つ、この操作受け面に押しつけられて、その解除片を側方に向けて開き出し可能とするように組付けられており、第１の部材の操作穴から、棒状の操作手段などを用いて、この操作体を、第２の部材における操作受け面に押しつけ、この操作体の解除片を側方に開き出すと共に、この開き出された解除片によって、第２の部材の引っ掛け手段に掛合されている弾性掛合片の掛合を解き、これによって、第１の部材と、第２の部材との組付け状態を解除することができる。
【００１２】
また、請求項２記載の発明に係る組付け構造を、前記目的を達成するために、前記請求項１記載の発明に係る組付け構造にあって、組付け具が、該組付け具を第２の部材に組み付ける際に該第２の部材に接する接触部を有する少なくとも一対の脚片を、該組付け具の第１の部材に対する取付け部から弾性掛合片と同一の向きに突設してあると共に、この対をなす脚片間に第２の部材の操作受け面に接する弾性片が設けられている構成としてある。
【００１３】
このように構成される組付け構造にあっては、第１の部材に取付けられている組付け具における脚片の接触部を第２の部材に接した状態で、第１の部材と、第２の部材とが組付け具によって組付けられると共に、第２の部材が、この第２の部材における操作受け面に接する組付け具の弾性片によって該組付け具に対して弾性的に組付けられる。
【００１４】
【発明の実施の形態】
以下、本発明に係る組付け構造の典型的な一実施の形態について詳細に説明する。
【００１５】
図１〜図７は、本発明の典型的な実施の形態に係る組付け構造と、これに用いられる組み付け具Ａを示すものである。
図１は、この組付け構造の各構成部分を、分離した状態で、しかも、この実施の形態に係る組付け構造が、より良く理解されるように組み付け具Ａ部分を実線で、他を仮想線の状態で斜視図として示している。
また、図２〜図４は、これらの構成各部分を、具体的に組付けた組付け構造として、同様に組み付け具Ａを実線で、他の部分を仮想線として、断面図の状態で示しており、図２では、操作体２０をセットして組付けた状態を正面側から、また、図３では、これを側面側から、更に、図４では、操作体２０によって弾性係合片１３を押し開いている状態を正面側から見た状態として示してある。
更に、図５〜図７は、この組付け構造に用いられる組み付け具Ａを示したものであって、図５では、この組み付け具Ａの組付け具本体１０と操作体２０とを分離した状態を正面側から見た一部破断の状態で、図６では、同様に、これを側面側から見た一部破断の状態で、図７では、操作体２０を組付け具本体１０に組付けた状態を上面から見て示している。
【００１６】
この実施の形態に係る組付け構造は、第１の部材Ｂと第２の部材Ｃとの組み付けに構造に関し、典型的には、操作穴３１を有する第１の部材Ｂと、引っ掛け手段４１及び操作受け面４２とを有する第２の部材Ｃと、前記第１の部材Ｂに取付けられる取付け部１１と前記第２の部材Ｃに掛合される弾性掛合片１３とを一体に有し、且つ前記第２の部材Ｃの操作受け面４２に押し付けられて側方に開き出されると共に前記第２の部材Ｃに掛合される弾性掛合片１３の掛合を解く向きに該弾性掛合片１３を押動する解除片２２を有している操作体２０を前記取り付け部１１の取り付け面１１ａ側から該弾性掛合片１３に沿って構成されている操作空所Ｙに移動可能に備えている組付け具Ａとを有して構成してあり、この組付け具Ａが、この組付け具Ａに備えられている操作体２０を前記第１の部材Ｂにおける操作穴３１から押動操作可能となるように該第１の部材Ｂに取り付けてあると共に、前記第１の部材Ｂまたは該第１の部材Ｂに取り付けられている組付け具Ａが前記第２の部材Ｃに接するように、しかも、該第２の部材Ｃにおける操作受け面４２に対して前記操作体２０の押し付けを可能とするように、該組付け具Ａの弾性掛合片１３を前記第２の部材Ｃの引っ掛け手段４１に引っ掛けるようにして、該第２の部材Ｃを前記第１の部材Ｂに組み付けてある構成としてある。
【００１７】
このように構成される組付け構造にあっては、第１の部材Ｂに対して、この第１の部材Ｂの操作穴３１から操作体２０の押動操作を可能とするように組付け具Ａを組付けると共に、第１の部材Ｂ又は該第１の部材Ｂに取り付けた組付け具Ａを、前記第２の部材Ｃに当接させた状態で、この第２の部材Ｃの引っ掛け手段４１に対して前記組付け具Ａの弾性掛合片１３を掛合させることによって、第１の部材Ｂに対して第２の部材Ｃの組付けをなすことができる。
【００１８】
このように組付け具Ａによって組付けられる第１の部材Ｂと、第２の部材Ｃとは、この組付け具Ａに備えられている操作体２０が、第２の部材Ｃに設けられている操作受け面４２に向けて移動可能、且つ、この操作受け面４２に押しつけられて、その解除片２２を側方に向けて開き出し可能とするように組付けられており、第１の部材Ｂの操作穴３１から、ドライバーなどの棒状の操作手段などを用いて、この操作体２０を、第２の部材Ｃにおける操作受け面４２に押しつけ、この操作体２０の解除片２２を側方に開き出すと共に、この開き出された解除片２２によって、第２の部材Ｃの引っ掛け手段４１に掛合されている弾性掛合片１３の掛合を解き、これによって、前記第１の部材Ｂと第２の部材Ｃとの組付け状態を解除することができる。
【００１９】
次いで、前記の構成に係る組付け構造にあって、組付け具Ａが、該組付け具Ａを第２の部材Ｃに組み付ける際に該第２の部材Ｃに接する接触部１２ａを有する少なくとも一対の脚片１２、１２を、該組付け具Ａの第１の部材Ｂに対する取付け部１１から弾性掛合片１３と同一の向きに突設してあると共に、この対をなす脚片１２、１２間に第２の部材Ｂの操作受け面４２に接する弾性片１４が設けられている構成としたことを、他の典型的な実施の形態の一つとしている。
【００２０】
このように構成される組付け構造にあっては、第１の部材Ｂに取付けられている組付け具Ａにおける脚片１２の接触部１２ａを第２の部材Ｃに接した状態で、第１の部材Ｂと、第２の部材Ｃとが組付け具Ａによって組付けられると共に、第２の部材Ｃが、この第２の部材Ｃにおける操作受け面４２に接する組付け具Ａの弾性片１４によって該組付け具Ａに対して弾性的に組付けられる。
【００２１】
以下、この実施の形態に係る組付け構造を、より具体的に説明する。
ここで構成される組付け構造は、組付け具Ａによって組付けられる第１の部材Ｂ、及び第２の部材Ｃ、例えば、各種器材などを装備したパネル材、ボード材などの板状体を、第１の板状体３０と、第２の板状体４０とし、これを、組付け具Ａによって相互に組付ける組み付け構造として示されている。
【００２２】
かかる第１の部材Ｂとして構成される第１の板状体３０は、組付け具Ａを所定間隔を離した状態で取付ける一対のボス３２、３２が設けてあり、このボス３２、３２に組付け具Ａの取付け部１１における鍔部１１ｂを添装状態として、この鍔部１１ｂの孔１１ｃから止めネジ５１をワッシャー５１ａを介してボス３２の孔３２ａにネジ込み止着する構成としてある。
【００２３】
また、この第１の板状体３０には、このボス３２、３２間に操作穴３１が貫通状態に設けてあり、この操作穴３１を利用して、この操作穴３１から棒状の操作手段などの差し入れを可能としてあり、これによって、この第１の板状体３０に取付けられる組付け具Ａにおける操作体２０の押動操作をなし得る構成としてある。
【００２４】
次いで、前記組付け具Ａを用いて該第１の板状体３０に対して、組付けられる第２の部材Ｃとしての第２の板状体４０は、この組付け具Ａを構成する脚片１２の先端部分と、この脚片１２に沿って設けられている組付け具Ａの弾性掛合片１３の先端部分の挿通される一対の貫通孔４３、４３と、この貫通孔４３、４３間にあって、第１の部材Ｂの側に向けて隆起するように設けられた受け台部４４とを備えた構成としてある。
【００２５】
かかる第２の板状体４０に設けられる受け台部４０は、長方形状の頂端面４４ａを備えた台形の隆起体として、該第２の板状体４０における第１の部材Ｂの組み付け側の面４０ａから突き出すように設けてあると共に、この面４０ａから突き出し状態に設けられている受け台部４４の長手側にある夫々の下縁に沿って長方形状をなす前記貫通孔４３を設けてあり、この貫通孔４３に差し入れられる弾性掛合片１３の掛合される掛合手段４１が、この向き合って設けられている貫通孔４３の夫々の内側にある面４３ａと、前記面４０ａと反対の側にある第２の部材Ｃの面４０ｂ、特に、この貫通孔４３、４３間にある面４０ｂ’とによって構成するようにしてある。
【００２６】
従って、第２の部材Ｃとしての第２の板状体４０の受け台部４４の頂端面４４ａに連続した傾斜面４４ｂに当接される弾性掛合片１３は、この傾斜面４４ｂから、互に開き出す向きに撓められながら貫通孔４３の面４３ａに接して移動し、この貫通孔４３から、その先端側、特に、掛合突部１３ａが前方に突き出され、その掛合突部１３ａを、該引っ掛け手段４１としての面４３ａを含む面４０ｂ’に対して掛合される構成としてある。
【００２７】
また、前記受け台部４４における頂端面４４ａと、この頂端面４４ａに続いて設けられている傾斜面４４ｂとが、操作体２０の操作受け面４２として機能するように構成してある。
【００２８】
かかる第１の部材Ｂと第２の部材Ｃとの連結に用いられる組付け具Ａは、組付け具本体１０と、この組付け具本体１０内に移動可能に組み込まれている操作体２０とを備えたものとして構成してある。
【００２９】
この組付け具Ａを構成する組付け具本体１０は、長方形の板状体１１’として構成される第１の部材Ｂに対する取付け部１１と、この取付け部１１から一体に突設されている一対の弾性掛合片１３と、この各弾性掛合片１３を両側方から覆うように該取付け部１１から一体に突き出し状態に設けられた各対をなす脚片１２を２組備えた構成としてある。
【００３０】
先ず、この組付け具Ａの取付け部１１は、長方形の板状体１１’に四角形の操作穴１１ｄが、その板厚方向に貫設してあると共に、長手側にある板状体１１’の延長部分、即ち、板状体１１’の短手側縁に鍔部１１ｂが張出し状態に設けてあり、これにネジ５１の取付け挿通孔１１ｃが設けてある。
【００３１】
また、この板状体１１’の各短手側縁に平行な操作穴１１ｄの穴縁における、該板状体１１’の一方の側にある面１１ｅ（図２〜図６における各図の下側にある面）から、該面１１ｅと直交する向きに平板状をなす形態の一対の弾性掛合片１３を互いに向き合うように設けてある。
【００３２】
また、この取付け部１１の板状体１１’における操作穴１１ｄの開口縁から一体に突設されている弾性掛合片１３は、その先端側に互に向き合う側に突き出す掛合突部１３ａが設けてあると共に、この掛合突部１３ａを含む該弾性掛合片１３の先端部分が、その先端側に向けて楔状に突き出す突部１３ｂとしてあり、しかも、この掛合突部１３ａにおける該突部１３ｂと反対の側が段部１３ｃとして構成してある。
そして、この対をなす弾性掛合片１３は、前記貫通孔４３間にある受け台部４４の夫々の面４４ｂ、４３ａに対して、夫々の掛合突部１３ａを当接し、面４３ａによって、一旦、互に離れる向きに撓み変形された後、掛合突部１３ａが該貫通孔４３を抜け出した際に、略平行となり、しかも、該掛合突部１３ａの段部１３ｃが、面４０ｂ’に対して引っ掛けられる構成、即ち、この各弾性掛合片１３、１３間の内側の間隔を、前記受け台部４４の両側にある互の内側の面４３ａ、４３ａの間隔と近似させた構成とし、しかも、この弾性掛合片１３が、この貫通孔４３に向けた押し込みに伴って必要な弾性変形を生ずる構成としてある。
【００３３】
また、取付け部１１の板状体１１’における前記弾性掛合片１３の突設側と反対の側の面、即ち、この組付け具Ａの取付け面１１ａの面にあって、前記操作穴１１ｄの短幅側として構成される穴縁から、該面１１ａに直交するように板状をなすガイド片１１ｆが向き合うように突設してあり、しかも、このガイド片１１ｆの内側の面と前記操作穴１１ｄの内面と、前記弾性掛合片１３の内側の面とが面一の状態に構成してあり、このガイド片１１ｆの先端から、弾性掛合片１３の先端部に向けて操作体２０の一対のガイド溝１１ｇ、１１ｇが向き合うように設けてある。
【００３４】
また、前記ガイド片１１ｆの設けられている操作穴１１ｄの穴縁に連続した他の操作穴１１ｄの穴縁の略中央部分には、このガイド片１１ｆと同一の向きに、しかも略同一の突き出し寸法で突設された一対の掛合片１１ｈ、１１ｈが向き合って設けてあり、この掛合片１１ｈが、その先端部分に、互に向き合った側に突き出す掛合突部１１ｈ’を備えており、この掛合突部１１ｈ’の掛合凹部２３に対する掛合によって、操作空所Ｙ内に収め入れられている操作体２０の抜け出しを防止する構成としてある。
【００３５】
かかる取付け部１１にあって、この取付け部１１の板状体１１’の各隅部、この実施の形態に係る組付け具本体１０にあっては、板状体１１’の長手側縁にある両端部分から、前記弾性掛合片１３の突き出しの向きに４本の板状をなす脚片１２を突き出し状態に設けてある。
【００３６】
かかる板状をなす脚片１２は、その板面によって前記弾性掛合片１３の側方を覆う構成としてあり、この実施の形態に係る組付け具本体１０にあっては、長手側の一つの側縁にある脚片１２、１２の互に向き合っている側縁１２ｂの面が、前記弾性掛合片１３、１３における互に向き合った内側面と同一の面上にある構成としてある。
【００３７】
また、この脚片１２は、前記側縁１２ｂと反対の側にある側縁１２ｃの先端側が段状にカットされて段面１２ｄから先端が細幅部１２ｅとされていると共に、更に、側縁１２ｂの側に傾斜する傾斜縁１２ｆによって先窄まりの形状としてあり、この細幅部１２ｅと段面１２ｄ、及び、脚片１２の外側の面１２ｇとによって、組付け具本体１０を第２の部材Ｃにおける貫通孔４３に対して略がたなく収め得る形態としてあり、しかも、前記段面１２ｄを、組付け具Ａの第２の部材Ｃに対して当接される接触部１２ａとしてある。
【００３８】
また、前記の脚片１２は、前記弾性掛合片１３が、この脚片１２における側縁１２ｃと、前記段面１２ｄに続く細幅部１２ｅの側縁１２ｅ’、及び傾斜縁１２ｆから、その撓み出しに際して、外方に突き出すことで、該弾性掛合片１３の設置位置から、これらの側縁１２ｃ、１２ｅ’及び、傾斜縁１２ｆが所要間隔離れるて位置付けられる板幅を備えたものとして構成してある。
【００３９】
また、この取付け部１１の板状体１１’の長手側にある同一縁に設けられている夫々に対をなす脚片１２、１２における側縁１２ｂ、１２ｂ間に亘って、この側端１２ｂ、１２ｂの各面のなす幅を、その幅として備えた帯状の弾性片１４が設けてあり、この帯状をなす弾性片１４が、その中央部分において、前記取付け部１１と離れる側に湾曲１４ａし、この取付け部１１と反対の側にある彎曲１４ａ部分の面が接触面１４ａ’としてある。
【００４０】
かかる構成よりなる組付け具本体１０にあっては、前記取付け部１１の操作穴１１ｄと、前記弾性掛合片１３、特に、この弾性掛合片１３の段部１３ｃと前記操作穴１１ｄとの間に操作体２０の組み込み操作空所Ｙが構成してある。
【００４１】
かかる組付け具本体１０の操作空所Ｙに収め入れられる操作体２０は、長方体状をなす頭部２１を有すると共に、この長方体状をなす頭部２１の一方の面２１ａの各長手側にある縁から、互に板面を向き合わせるように略板状をなす解除片２２、２２を有しており、この解除片２２が、前記面２１ａと直交するように設けてあると共に、この各解除片２２の突設基部に、この解除片２２に所期の撓み機能をもたらす溝２２ａを設けた構成としてある。
【００４２】
また、この操作体２０に備えられる解除片２２、２２は、前記頭部２１から、互に向き合った面が略平行となる平行板部２２ｂと、この平行板部２２ｂの先端側にあって、互の面が八字状に離れる向きに屈曲された拡き出し板部２２ｃとを有する構成としてあり、この八字状に構成されている拡き出し板部２２ｃ間に、前記受け台部４４の頂端面４４ａ及び傾斜面４４ｂとして構成される操作受け面４２、特に、その頂端面４４ａが収まる形状のものとして構成してある。
【００４３】
また、この解除片２２の平行板部２２ｂと拡き出し板部２２ｃの外側、即ち、互に向き合っている面と反対の側の面に、拡き出し板部２２ｃの屈曲位置より稍々基部側にある平行板部２２ｂ部分に、この平行板部２２ｂの幅方向に亘るリブ２２ｄと、このリブ２２ｄの前後に亘るように、この拡き出し板部２２ｃの先端と、平行板部２２ｂの途中間とに亘って、その幅方向の略中心を通るリブ２２ｅとが設けてある。
【００４４】
かかる解除片２２に備えられるリブ２２ｅは、操作空所Ｙに備えられる操作体２０が、この操作空所Ｙ内を移動する際に、当該解除片２２におけるリブ２２ｅが、前記弾性掛合片１３に備えられているガイド溝１１ｇに対して、都合良く案内される形状、及び突き出し量を備えたものとして構成してある。
【００４５】
また、前記解除片２２の備えられている頭部２１の両側端部には掛合凹部２３が設けてあり、前記操作穴１１ｄの穴縁にある掛合片１１ｈが弾性的に、その掛合突部１１ｈ’を掛合するように構成してある。
【００４６】
また、この頭部２１には、略その中央部分にあって、この頭部２１と直交する向きにガイド突起２４、２４が、この頭部２１と共に略十字状をなすように設けてあると共に、この各ガイド突起２４の先端部分が、前記ガイド片１１ｆ、操作穴１１ｄ、及び弾性掛合片１３に、一連に連続して構成されている前記ガイド溝１１ｇに対して、都合よく収め入れ案内される構成としてある。
【００４７】
更に、この操作体２０の頭部２１、特に、ガイド突起２４と頭部２１とが交差する当該頭部２１部分に操作凹孔２５が設けてあり、この操作凹孔２５に棒状の操作具の先端などを差し入れることによる該操作体２０の押動に都合の良い構成としてある。
【００４８】
かくして構成される操作体２０は、前記組付け具本体１０に対して、この操作体２０における解除片２２のリブ２２ｅをガイド溝１１ｇに沿わせるように押し入れ、各解除片２２、２２の溝２２ａ部分において、一旦、掛合片１１ｈの掛合突部１１ｈ’を引っ掛け状態とし、次いで、組付け具本体１０の操作空所Ｙに対して、これを押し入れることによって、ガイド突起２４が、前記ガイド溝１１ｇに、また、掛合片１１ｈが掛合凹部２３に掛合されると共に、リブ２２ｅが、ガイド溝１１ｇに沿って移動し、この解除片２２における開き出し板部２２ｃが、この組付け具Ａの組み付けられる第２の部材Ｃの操作受け面４２の上方に位置づけられるように構成される。（図２参照）
【００４９】
また、この操作体２０を構成する解除片２２は、この解除片２２が、この操作体２０の操作空所Ｙに対する押し込み操作に際して、この組付け具Ａの組み付けられる第２の部材Ｃの操作受け面４２に当接、拡き出して、その背面、即ち、リブ２２ｅ、２２ｄを備えた側が、弾性掛合片１３の内側の面を押し、この弾性掛合片１３の突部１３ａを、第２の部材Ｃにおける引っ掛け手段４１、この図示例にあっては、面４０ｂ’に対する引っ掛り状態を解消する位置まで拡き出す構成としてあり、操作受け面４２としての、例えば、受け台部４４の頂端面４４ａの幅寸法、各傾斜面４４ｂ、４４ｂ間の傾斜の度合、操作体２０における各平行板部２２ｂ間の間隔、各開き出し板部２２ｃの開き出し角度、この操作体２０の操作受け面４２に対する摺動可能距離、弾性掛合片１３に対する操作体２０における解除片２２の接触面の形態などが、前記要件を満たすように構成する。
【００５０】
かくして用意された組付け具Ａを、例えば組付け具本体１０に操作体２０を収め入れた状態（図２）として、取付け部１１の鍔部１１ｂをボス３２に乗せかけ、これをワッシャー５１ａを介してネジ５１で止めつけることで、第１の部材Ｂに取付ける。
かかる組付け具Ａの取付けられる第１の部材Ｂにあっては、前記操作穴３１が、この第１の部材Ｂに取付けられる組付け具Ａの操作穴１１ｄの略直上に位置づけられる構成として用意される。
【００５１】
次いで、この組付け具Ａによって第１の部材Ｂの組み付けられる第２の部材Ｃは、組付け具Ａにおける各脚片１２〜１２と、この各脚片１２間にある弾性掛合片１３とを収める貫通孔４３、特に、脚片１２の細幅部１２ｅが、この脚片１２の外側にある面１２ｇを接した状態で、これらが略がたなく収まる一対の貫通孔４３と、この対をなす貫通孔４３間に設けられて、前記操作体２０の解除片２２の開き出しに用いられる操作受け面４２を構成する受け台部４４を備えた構成としてある。
【００５２】
また、ここで、組付け具Ａの組み付けに用いられる第２の部材Ｃにおける貫通孔４３は、この貫通孔４３に差し入れる組付け具Ａの脚片１２における段面１２ｄが、この第２の部材Ｃの面４０ａに当接された際に、この貫通孔４３の面４３ａに当接、撓められながら押し入れられる弾性掛合片１３が、その弾性復帰により突部１３ａを、この貫通孔４３から前方に突き出し、しかも、その突き出しの状態で、面４０ｂ’に、その段部１３ｃを引っ掛ける構成としてあり、この脚片１２の段面１２ｄと、弾性掛合片１３の段部１３ｃとの間において、第２の板状体４０として構成される第２の部材Ｃの両面が都合よく保持される構成としてある。
【００５３】
また、ここで組付け具Ａの組み付けられる第２の部材Ｃにおける受け台部４４は、前記の状態、即ち、脚片１２の段面１２ｄを面４０ａに当接するようになし、しかも、弾性掛合片１３の段部１３ｃを面４０ｂ’に引っ掛け状態とした際に、前記脚片１２、１２間にある弾性片１４の彎曲１４ａ部分の接触面１４ａ’が、この受け台部４４の頂端面４４ａとして構成される操作受け面４２に対して弾性的に当接される構成としてある、
かかる弾性片１４の操作受け面４２に対する当接と、前記弾性掛合片１３の第２の部材Ｃにおける引っ掛け手段４１に対する引っ掛けとによって組付け具Ａを第２の部材Ｃに対して弾性的に保持できる構成としてある。
【００５４】
また、ここで、組付け具Ａの組み付けられる第２の部材Ｃに設けられる操作受け面４２は、前記操作体２０と共に、この第２の部材Ｃに組付け具Ａが組み付けられている状態で、この第２の部材Ｃに引っ掛けられている弾性掛合片１３の引っ掛けを、当該第２の部材Ｃの引っ掛け手段４１から解放するように、操作体２０の解除片２２を側方に拡き出す機能を備えたものとして構成してある。
【００５５】
かかる操作受け面４２を構成する受け台部４４に跨るように、前記各貫通孔４３に対して、組付け具本体１０の脚片１２と、弾性掛合片１３とを差し入れ、この脚片１２の段面１２ｄとして構成される接触部１２ａを第２の部材Ｃの面４０ａに、また、操作受け面４２とされている受け台部４４の頂端面４４ａに対して弾性片１４を当接させるようにして、弾性掛合片１３の突部１３ａを面４３ａから、面４０ｂ’の側に撓み入れ、その段部１３ｃを、この面４０ｂ’に引っ掛けることによって、組付け具Ａを備えた第１の部材Ｂを第２の部材Ｃに対して組付けることができる。
【００５６】
このようにして、組付け具Ａによって組み付けられている第１の部材Ｂ、第２の部材Ｃは、第１の部材Ｂにおける操作穴３１から、棒状の操作具などの先端を組付け具Ａにおける操作体２０の操作凹孔２５に差し入れ、この操作体２０を内方に押し入れることによって、相互の組付け状態、特に、第２の部材Ｃを必要に応じて、組付け具Ａから取り外すことができる。
【００５７】
かかる第２の部材Ｃの取り外しは、組付け具本体１０の操作空所Ｙ内にある操作体２０を、内方に押し入れることによって、この操作体２０における解除片２２、２２間の内側の面を、その開き出し板部２２ｃの側から、操作受け面４２としての受け台部４４の面に押し当て、これによって、この解除片２２、２２を漸次側方に拡き出すと共に、この拡き出し解除片２２、２２によって、弾性掛合片１３を、互に離れる側に開き出し、こてによって、この弾性掛合片１３の面４０ｂ’に対する段部１３ｃの引っ掛けを解放し、かかる状態で弾性掛合片１３を、脚片１２と共に第２の部材Ｃの貫通孔４３から抜き出すことによってなすことができる。
【００５８】
尚、前記組付け具Ａを用いた第２の部材Ｃの組み付けにあっては、組付け具Ａの脚片１２の接触部１２ａとしての段面１２ｄを、この組み付け対象である第２の部材Ｃの面４０ａに当接する構成としてあるが、かかる第２の部材Ｃに対する組付け具Ａの接触をなすことなく、第１の部材Ｂと第２の部材Ｃとを何等かの形態で当接あるいは接触させるように構成してあっても良い。
【００５９】
【発明の効果】
この発明に係る組付け構造は、第１の部材と第２の部材との組み付けに構造に関し、典型的には、操作穴を有する第１の部材と、引っ掛け手段及び操作受け面とを有する第２の部材と、前記第１の部材に取付けられる取付け部と前記第２の部材に掛合される弾性掛合片とを一体に有し、且つ前記第２の部材の操作受け面に押し付けられて側方に開き出されると共に前記第２の部材に掛合される弾性掛合片の掛合を解く向きに該弾性掛合片を押動する解除片を有している操作体を前記取り付け部の取り付け面側から該弾性掛合片に沿って構成されている操作空所に移動可能に備えている組付け具Ａを有し、前記組付け具が、この組付け具に備えられている操作体を前記第１の部材における操作穴から押動操作可能となるように該第１の部材に取り付けてあると共に、前記第１の部材または該第１の部材に取り付けられている組付け具が前記第２の部材に接するように、しかも、該第２の部材における操作受け面に対して前記操作体の押し付けを可能とするように、該組付け具の弾性掛合片を前記第２の部材の引っ掛け手段に引っ掛けるようにして、該第２の部材を前記第１の部材に組み付けた構成としてあることから、
第１の部材に対して、この第１の部材の操作穴から操作体の押動操作を可能とするように組付け具を組付け、且つ、第１の部材又は該第１の部材に取り付けた組付け具を、前記第２の部材に当接させた状態で、この第２の部材の引っ掛け手段に対して前記組付け具の弾性掛合片を掛合させることによって、第１の部材に対して第２の部材の組付けをなすことができる。
【００６０】
このように組付け具によって組付けられる第１の部材と、第２の部材とは、この組付け具に備えられている操作体が、第２の部材に設けられている操作受け面に向けて移動可能、且つ、この操作受け面に押しつけられて、その解除片を側方に向けて開き出し可能とするように組付けられており、第１の部材の操作穴から、ドライバーなどの棒状の操作手段などを用いて、この操作体を、第２の部材における操作受け面に押しつけることで、この操作体の解除片を側方に開き出し、この開き出された解除片によって、第２の部材の引っ掛け手段に掛合されている弾性掛合片の掛合が解かれる特長を有している。
また、前記の構成から、弾性掛合片及び操作体を、第２の部材から外方に向けて大きく突き出させないで組付け構造の構成をなすことができる特長を有している。
また、前記の構成から、薄手の板状物に限られることなく、第１の部材と第２の部材との組付けをなすことが可能であり、厚い板材相互の組み付けなどにも適する組付け構造として用い得る特長を有している。
【００６１】
次いで、前記の構成に係る組付け構造にあって、組付け具が、該組付け具を第２の部材に組み付ける際に該第２の部材に接する接触部を有する少なくとも一対の脚片を、該組付け具の第１の部材に対する取付け部から弾性掛合片と同一の向きに突設してあると共に、この対をなす脚片間に第２の部材の操作受け面に接する弾性片が設けられている構成としたことによって、
第１の部材に取付けられている組付け具における脚片の接触部を第２の部材に接した状態で、第１の部材と、第２の部材とが組付け具によって組付けられると共に、第２の部材が、この第２の部材における操作受け面に接する組付け具の弾性片によって該組付け具に対して弾性的に組付けられる特長を有している。
【図面の簡単な説明】
【図１】本発明の典型的な一実施の形態に係る組付け構造の構成部品を分離し、且つ、一部を仮想線で示した斜視図
【図２】同組付け構造を、その一部を仮想線として正面側から見て示した要部断面図
【図３】同一部を仮想線として側面から見て示した要部断面図
【図４】同操作体２０を内方に押し入れて弾性掛合片１３を第２の部材Ｃから解除している状態を、その一部を仮想線として正面側から見て示した断面図
【図５】同組付け構造に用いられる組付け具Ａを分離し、しかも要部を破断して示した正面図
【図６】同要部を破断して示した側面図
【図７】同組付け構造に用いられる組付け具Ａの平面図
【符号の説明】
Ａ  組付け具
Ｂ  第１の部材
Ｃ  第２の部材
Ｙ  操作空所
１３  弾性掛合片
１４  弾性片
２０  操作体
２２  解除片
３１  操作穴
４１  引っ掛け手段
４２  操作受け面
【図１】
0003708684.tif 000002
【図２】
0003708684.tif 000003
【図３】
0003708684.tif 000004
【図４】
0003708684.tif 000005
【図５】
0003708684.tif 000006
【図６】
0003708684.tif 000007
【図７】
0003708684.tif 000008